【手続補正書】
【提出日】平成27年4月28日(2015.4.28)
【手続補正１】
【補正対象書類名】特許請求の範囲
【補正対象項目名】全文
【補正方法】変更
【補正の内容】
【特許請求の範囲】
【請求項１】
シリアルバスケーブルの通信線及び給電線を介して接続デバイスと接続する接続部と、
前記接続デバイスとの間で近距離無線通信を行う無線通信部と、
前記接続デバイスから転送された音楽データを出力する出力部と、
ユーザーからの操作入力を受ける操作表示部と、を備え、
前記シリアルバスケーブルを介した前記接続デバイスとのデータ通信及び前記シリアルバスケーブルを介した前記接続デバイスへの電源供給を行う第一のモードと、前記シリアルバスケーブルを介した前記接続デバイスとのデータ通信を行わずに、前記シリアルバスケーブルを介した前記接続デバイスへの電源供給を行う第二のモードと、を有し、
前記操作表示部は、前記第一のモードと前記第二のモードとのどちらかをユーザーが選択可能にし、
前記出力部は、前記第二のモードが選択されているとき、前記無線通信部を介して前記接続デバイスから転送された音楽データを出力可能であることを特徴とする車載装置。
【請求項２】
前記第二のモードにおいて、前記接続デバイスは、ユーザーの操作を受付可能であることを特徴とする請求項１に記載の車載装置。
【請求項３】
シリアルバスケーブルの通信線及び給電線を介して接続デバイスと接続する接続部と、
前記接続デバイスとの間で近距離無線通信を行う無線通信部と、
前記接続デバイスから転送された音楽データを出力する出力部と、
ユーザーからの操作入力を受ける操作表示部と、を備える車載装置の制御方法であって、
前記シリアルバスケーブルを介した前記接続デバイスとのデータ通信及び前記シリアルバスケーブルを介した前記接続デバイスへの電源供給を行う第一のモードと、前記シリアルバスケーブルを介した前記接続デバイスとのデータ通信を行わずに、前記シリアルバスケーブルを介した前記接続デバイスへの電源供給を行う第二のモードと、を有し、
前記操作表示部は、前記第一のモードと前記第二のモードとのどちらかをユーザーが選択可能にし、
前記出力部は、前記第二のモードが選択されているとき、前記無線通信部を介して前記接続デバイスから転送された音楽データを出力可能であることを特徴とする車載装置の制御方法。
【請求項４】
前記第二のモードにおいて、前記接続デバイスは、ユーザーの操作を受付可能であることを特徴とする請求項３に記載の車載装置の制御方法。
【手続補正２】
【補正対象書類名】明細書
【補正対象項目名】発明の名称
【補正方法】変更
【補正の内容】
【発明の名称】車載装置、及び、車載装置の制御方法
【手続補正３】
【補正対象書類名】明細書
【補正対象項目名】０００１
【補正方法】変更
【補正の内容】
【０００１】
本発明は、携帯機器等の外部デバイスを有線接続で接続可能な車載装置、及び、車載装置の制御方法に関する。
【手続補正４】
【補正対象書類名】明細書
【補正対象項目名】０００４
【補正方法】変更
【補正の内容】
【０００４】
ところで、この種の車載装置は、ＵＳＢ等の外部接続デバイスが接続されたことを認識すると、接続デバイスへの給電を開始するとともに、データ通信を開始して、接続デバイスに記録された、楽曲情報等を取得し、自動再生を始める。しかしながら、データ通信が開始されると、ホスト装置側からしか接続デバイスの操作が出来なくなり、ＵＳＢ等の接続デバイス側からは、楽曲の選択等の操作ができなくなる。そのため、ＵＳＢ等の接続デバイスを接続した状態で、接続デバイス側から楽曲の選択をしたい等といったユーザーの要望にこたえることができないという問題があった。
本発明は、上述した従来の技術が有する課題を解消し、接続デバイスを車載装置に接続した際にも、接続デバイス側で操作をすることができる車載装置、及び、車載装置の制御方法を提供することを目的とする。
【手続補正５】
【補正対象書類名】明細書
【補正対象項目名】０００５
【補正方法】変更
【補正の内容】
【０００５】
上記目的を達成するために、車載装置は、シリアルバスケーブルの通信線及び給電線を介して接続デバイスと接続する接続部と、前記接続デバイスとの間で近距離無線通信を行う無線通信部と、前記接続デバイスから転送された音楽データを出力する出力部と、ユーザーからの操作入力を受ける操作表示部と、を備え、前記シリアルバスケーブルを介した前記接続デバイスとのデータ通信及び前記シリアルバスケーブルを介した前記接続デバイスへの電源供給を行う第一のモードと、前記シリアルバスケーブルを介した前記接続デバイスとのデータ通信を行わずに、前記シリアルバスケーブルを介した前記接続デバイスへの電源供給を行う第二のモードと、を有し、前記操作表示部は、前記第一のモードと前記第二のモードとのどちらかをユーザーが選択可能にし、前記出力部は、前記第二のモードが選択されているとき、前記無線通信部を介して前記接続デバイスから転送された音楽データを出力可能であることを特徴とする。
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００３１
【補正方法】変更
【補正の内容】
【００３１】
本実施形態では、通信線及び給電線を介して接続デバイスと接続され、当該接続デバイスへの給電と双方向の通信を行うデバイス接続手段を備える車載装置において、前記接続デバイスは、前記接続デバイスの機能を操作可能な操作部を備え、前記デバイス接続手段は、前記接続デバイスが接続され、前記操作部の操作により前記接続デバイスの機能を操作可能にするユーザー操作が行われたとき、前記接続デバイスとの通信動作を停止する通信停止手段を備えたことを特徴とする。この構成によれば、接続デバイスが接続され、操作部の操作により接続デバイスの機能を操作可能にするユーザー操作が行われたときには、接続デバイスとの通信動作を停止するため、専ら、操作部の操作による接続デバイスの機能操作が可能となり、車載装置に接続デバイスを通信線及び給電線で接続し、車載装置側から接続デバイスへの給電を行いながら、接続デバイスの操作は、接続デバイス側から行うことができる。そのため、接続デバイスが例えば、携帯音響機器の場合に、該携帯音響機器と車載装置を十分に長さのあるケーブルを介して接続することで、後部座席に座っている搭乗者も操作部の操作により楽曲選択等の操作を行うことが可能となり、ユーザーの操作性が向上する。また、携帯音響機器の電池残量を気にすることなく携帯音響機器に格納された音声データ等を出力させて音楽を楽しむことができる。
この構成において、前記デバイス接続手段は、前記接続デバイスが接続された際に、前記接続デバイスの動作条件設定を自動で行う設定機能を備え、前記通信停止手段は、前記接続デバイスとの通信動作を停止する前に、前記接続デバイスの動作条件設定を初期化する構成としても良い。この構成によれば、車載装置と接続デバイス間の通信動作を停止する事前処理として、接続時に接続デバイスに設定された動作条件が初期化されるため、通信動作が停止されると、接続デバイスはあたかも充電器に接続されているのと同じ状態となり、確実に接続デバイス側からの操作を可能とすることができる。
また、前記デバイス接続手段は、前記接続デバイスとの通信或いは給電を制御するバスホストコントローラを備え、前記バスホストコントローラは、通信を制御する通信制御部と、給電を制御する電源制御部とを有し、前記通信停止機能は、前記通信制御部を停止させる構成としても良い。この構成によれば、通信を制御する通信制御部と、給電を制御する電源制御部とを有するデバイスコントローラの通信制御部を停止させて接続デバイスとの通信動作を停止するため、通信動作を停止した後にも、接続デバイス側から要求される電力量を算出して、必要な電力量を接続デバイスへ給電することができるため、高い供給電力を必要とする接続デバイスにも給電を継続することができる。
また、前記デバイス接続手段は、前記接続デバイスが物理的に接続される接続ポートを備え、前記接続ポートは、通信線が接続される通信ポートと、電源線が接続される電源ポートとを備え、前記通信停止機能は、前記通信ポートを無効にする構成としても良い。この構成によれば、通信線が接続される通信ポートと、電源線が接続される電源ポートを有する接続ポートの通信ポートを無効にすることで、接続デバイスと車載装置との通信を停止させているので、通信を再開したい場合には、通信ポートを有効化するだけで良く、制御機器の再起動を待つ必要がないため、より早くデータ通信を再開することができる。
また、前記デバイス接続手段は、前記通信停止機能の実行後も、前記接続デバイスの挿抜を監視するポート監視手段を備える構成としても良い。この構成によれば、通信停止機能の実行後でも接続デバイスの挿抜を監視することができる。そのため、接続デバイスが接続中に通信停止機能が実行され、通信動作が停止している状態でも接続デバイスの挿抜を検出することができ、接続デバイスがポートから抜かれたことを検出した際には、該ポートに割り当てられていたポート番号を破棄することができる。また、ポート監視手段によって接続デバイスが新たにポートに接続されたことを検出した際には、接続デバイスが接続されたポートにポート番号を割り当てて、ユーザー操作によっていつでも通信が開始できるように、ポートを待機状態にすることができる。
また、近距離無線通信が可能な無線通信部を備え、前記接続デバイスの接続時で、前記通信停止機能の実行時に、前記接続デバイスに格納されたデータを前記無線通信部を介して出力可能である構成としても良い。この構成によれば、通信線を介した通信動作の停止中に、車載装置から給電線を介して接続デバイスへの給電を継続したままで、接続デバイス側から楽曲選択等の操作を行い、Ｂｌｕｅｔｏｏｔｈ（登録商標）或いはＦＭ派などの近距離無線通信を利用して、接続デバイスと車載装置のデータ通信を行い、車載のスピーカー等を利用して音声データ出力ができる。そのため、一般的に電力消費の激しいＢｌｕｅｔｏｏｔｈ（登録商標）等による無線通信を用いてデータ通信を行う際にも、給電線を介して接続デバイスへの給電を行いながら、接続デバイスの電池残量を気にすることなく、接続デバイスに格納された音声データ等の再生ができる。
以上、実施形態に基づいて本発明を説明したが、本発明はこれに限定されるものではない。本実施形態では、外部接続デバイス２０は、携帯音響機器である構成としたが、これに限らず、携帯電話やスマートフォン、或いはタブレット型コンピューター等を接続する構成としてもよい。